(57)【特許請求の範囲】
【請求項１】
ＯＦＤＭ／ＯＦＤＭＡシステムのユーザー端末（ＵＥ）でダウンリンク制御情報をデコーディングする方法であって、前記方法は、
（ａ）基地局から制御信号を受信し、前記ダウンリンク制御情報を搬送する、受信された物理リソースブロック（ＰＲＢ）を決定するステップ、
（ｂ）前記ＰＲＢ内の候補の物理ダウンリンク制御チャネル（ｅＰＤＣＣＨ）セットを決定し、各ｅＰＤＣＣＨは、ｅＰＤＣＣＨ送信用に、拡張制御チャネル要素（ｅＣＣＥ）セットと関連付けられるステップ、
（ｃ）第１のデマッピングルールに基づく複数のｅＲＥＧからなる各ｅＣＣＥ用に複数の拡張リソース要素グループ（ｅＲＥＧ）を収集するステップ、
（ｄ）第２のデマッピングルールに基づく複数のＲＥからなる各ｅＲＥＧ用に複数のリソース要素（ＲＥ）を収集するステップ、及び
（ｅ）前記収集されたＲＥにマップされた前記ダウンリンク制御情報をデコードするステップを含み、
１つのｅＲＥＧ用の前記複数のＲＥは、物理的に連続的な無線リソースのブロック内で、データ、または基準信号の送信に割り当てられた物理的に連続的なＲＥと、ｅＰＤＣＣＨ復調の基準信号に割り当てられたＲＥを除く、物理的に分散されたＲＥのうちの一つである方法。
【請求項２】
１つのｅＣＣＥ用の前記複数のｅＲＥＧは、複数の不連続のＰＲＢペアに分散される請求項１に記載の方法。
【請求項３】
前記ｅＰＤＣＣＨ復調の基準信号は、ＵＥ固有の基準信号（ＤＭ−ＲＳ）である請求項４に記載の方法。
【請求項４】
前記ＵＥは、単一のｅＣＣＥまたは複数のｅＣＣＥの前記ダウンリンク制御情報をデコードする請求項１に記載の方法。
【請求項５】
前記制御信号は、上位層シグナリングからである請求項１に記載の方法。
【請求項６】
ＯＦＤＭ／ＯＦＤＭＡシステムのユーザー端末（ＵＥ）であって、前記ＵＥは、
基地局から制御信号を受信し、前記ダウンリンク制御情報を搬送する受信された物理リソースブロック（ＰＲＢ）を決定する受信機、
前記ＰＲＢ内の候補の物理ダウンリンク制御チャネル（ｅＰＤＣＣＨ）セットを決定し、各ｅＰＤＣＣＨは、ｅＰＤＣＣＨ送信用に、拡張制御チャネル要素（ｅＣＣＥ）セットと関連付けられる制御モジュール、
第１のデマッピングルールに基づく複数のｅＲＥＧからなる各ｅＣＣＥ用に複数の拡張リソース要素グループ（ｅＲＥＧ）を収集し、且つ第２のデマッピングルールに基づく複数のＲＥからなる各ｅＲＥＧ用に複数のリソース要素（ＲＥ）を収集するコレクタモジュール、および
前記収集されたＲＥにマップされた前記ダウンリンク制御情報をデコードするデコーダを含み、
１つのｅＲＥＧ用の前記複数のＲＥは、物理的に連続的な無線リソースのブロック内で、データ、または基準信号の送信に割り当てられた物理的に連続的なＲＥと、ｅＰＤＣＣＨ復調の基準信号に割り当てられたＲＥを除く、物理的に分散されたＲＥのうちの一つであるユーザー端末。
【請求項７】
１つのｅＣＣＥ用の前記複数のｅＲＥＧは、複数の不連続のＰＲＢペアに分散される請求項６に記載のユーザー端末。
【請求項８】
前記ｅＰＤＣＣＨ復調の基準信号は、ＵＥ固有の基準信号（ＤＭ−ＲＳ）である請求項６に記載のユーザー端末。
【請求項９】
前記ＵＥは、単一のｅＣＣＥまたは複数のｅＣＣＥの前記ダウンリンク制御情報をデコードする請求項６に記載のユーザー端末。
【請求項１０】
前記制御信号は、上位層シグナリングからである請求項６に記載のユーザー端末。
【発明の詳細な説明】
【技術分野】
【０００１】
本出願は、２０１２年３月１６日に出願された中国特許出願番号第２０１２１００７１８０６．０号「Ｐｈｙｓｉｃａｌ  Ｓｔｒｕｃｔｕｒｅ  ａｎｄ  Ｒｅｆｅｒｅｎｃｅ  Ｓｉｇｎａｌ  Ｕｔｉｌｉｚａｔｉｏｎ  ｏｆ  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ」からの優先権を主張するものであり、これらの全ては引用によって本願に援用される。
【０００２】
本発明は、物理ダウンリンク制御チャネル（ＰＤＣＣＨ）に関し、特に、ＯＦＤＭ／ＯＦＤＭＡシステムにおける拡張型ｅＰＤＣＣＨ構造および基準（参照）信号の利用に関するものである。
【背景技術】
【０００３】
ＬＴＥ−Ａｄｖａｎｃｅｄ（ＬＴＥ−Ａ）システムは、異種ネットワークトポロジに展開（配置）される基地局の様々なセットを利用することによって、スペクトル効率を向上させる。マクロ、ピコ、フェムト、および中継基地局の組み合わせ（ｍｉｘｔｕｒｅ）を用いて、異種ネットワークは、フレキシブルで低コストの展開を可能にし、均一なブロードバンドのユーザーエクスペリエンスを提供する。異種ネットワーク（ＨｅｔＮｅｔ）では、従来の異種ネットワークに比べ、基地局間のよりスマートなリソースコーディネーション、より良い基地局選定戦略、および効率的な干渉管理ためのより高度な技術が、スループットおよびユーザーエクスペリエンスにかなりの利益を提供することができる。例えば、マルチＢＳ／サイトＭＩＭＯとしても知られる協調マルチポイント（ＣｏＭＰ）は、ＬＴＥ−ＡｄｖａｎｃｅｄシステムのセルエッジＵＥのパフォーマンスを向上させるのに用いられる。
【０００４】
３ＧＰＰ  ＲＡＮ１＃６５では、ダウンリンク制御能力の問題は、まずＣｏＭＰシナリオ４に論じられており、マクロセル基地局およびマクロセルカバレッジ内のリモートラジオヘッド（ＲＲＨ）は、同じ物理セルＩＤをシェアする。３ＧＰＰ  ＲＡＮ１＃６６では、レガシー物理ダウンリンク共有チャネル（ＰＤＳＣＨ）の領域内に新しい物理制御チャネルを有することが、実用的な仮説として定められた。この新しい物理制御チャネルを有する主な利点は、ＨｅｔＮｅｔ、ＣｏＭＰ、およびＭＵ−ＭＩＭＯへのよりよいサポートに合う。３ＧＰＰ  ＲＡＮ１＃６８では、拡張型物理ダウンリンク制御チャネル（ｅＰＤＣＣＨ）がレガシーＰＤＳＣＨの領域で第１と第２のスロットをスパン（ｓｐａｎ）することが定められた。
【０００５】
各種提案は、ｅＰＤＣＣＨの設計に関連してなされている。以下はそのような例のリストである：Ｒ１−１４１２４，Ｑｕａｌｃｏｍｍによる「Ｍｕｌｔｉｐｌｅｘｉｎｇ  Ｅ−ＰＤＣＣＨ  ｗｉｔｈ  ＰＤＳＣＨ」，ＲＡＮ１♯６７，Ｎｏｖｅｍｂｅｒ  ２０１１；Ｒ１−１１４２４０，サムソンによる「Ｐｅｒｆｏｒｍａｎｃｅ  ｅｖａｌｕａｔｉｏｎ  ｏｆ  ｅｎｈａｎｃｅｄ  ｃｏｎｔｒｏｌ  ｃｈａｎｎｅｌ  ｂａｓｅｄ  ｏｎ  ＵＥ−ｓｐｅｃｉｆｉｃ  ｒｅｆｅｒｅｎｃｅ  ｓｉｇｎａｌｉｎｇ」，ＲＡＮ１♯６７，Ｎｏｖｅｍｂｅｒ  ２０１１；Ｒ１−１１４３９６，サムソンによる「ＤＭ−ＲＳ  ｂａｓｅｄ  ｄｉｓｔｒｉｂｕｔｅｄ  ａｎｄ  ｌｏｃａｌｉｚｅｄ  Ｅ−ＰＤＣＣＨ  ｓｔｒｕｃｔｕｒｅ」，ＲＡＮ１♯６７，Ｎｏｖｅｍｂｅｒ  ２０１１；Ｒ１−１１４３０２，ＮＴＴドコモによる“ＤＭ−ＲＳ  ｄｅｓｉｇｎ  ｆｏｒ  Ｅ−ＰＤＣＣＨ  ｉｎ  Ｒｅｌ−１１」，Ｒａｎ１♯６７，Ｎｏｖｅｍｂｅｒ  ２０１１；およびＲ１−１２００７６，エリクソンによる「Ｏｎ  ｒｅｆｅｒｅｎｃｅ  ｓｉｇｎａｌ  ｄｅｓｉｇｎ  ｆｏｒ  ｅｎｈａｎｃｅｄ  ｃｏｎｔｒｏｌ  ｃｈａｎｎｅｌｓ」，ＲＡＮ１♯６８，Ｆｅｂｒｕａｒｙ  ２０１２。
【０００６】
レガシーＰＤＳＣＨの領域で第１と第２のスロットにスパンするｅＰＤＣＣＨの設計に基づくと、分散および局所送信の双方をサポートし、ダイバーシチまたはビームフォーミングゲインを引き出す（ｅｘｐｌｏｉｔ）ように、ｅＰＤＣＣＨの物理構造を設計することが望ましいという課題があった。また、ＵＥ固有の基準信号の多くても４つのアンテナポートが、ｅＰＤＣＣＨに用いられる。分散および局所送信の双方用にどのようにＵＥ固有の基準信号を利用してｅＰＤＣＣＨのダイバーシチまたはビームフォーミングゲインを引き出し（活用し）たらよいかを知るのも望ましいという課題があった。
【発明の概要】
【発明が解決しようとする課題】
【０００７】
この発明は、上述の課題を解決するためになされたものであり、分散および局所送信の双方用にＵＥ固有の基準信号を利用してｅＰＤＣＣＨのダイバーシチをより良く活用することができるＯＦＤＭ／ＯＦＤＭＡシステムのユーザー端末（ＵＥ）および、このユーザー端末（ＵＥ）でダウンリンク制御情報をデコーディングする方法を提供することを課題とする。
【課題を解決するための手段】
【０００８】
この発明の一態様によれば、ＯＦＤＭ／ＯＦＤＭＡシステムのユーザー端末（ＵＥ）でダウンリンク制御情報をデコーディングする方法は、
（ａ）基地局から制御信号を受信し、ダウンリンク制御情報を搬送する、受信された物理リソースブロック（ＰＲＢ）を決定するステップ、
（ｂ）ＰＲＢ内の候補の物理ダウンリンク制御チャネル（ｅＰＤＣＣＨ）セットを決定し、各ｅＰＤＣＣＨは、ｅＰＤＣＣＨ送信用に、拡張制御チャネル要素（ｅＣＣＥ）セットと関連付けられるステップ、
（ｃ）第１のデマッピングルールに基づく複数のｅＲＥＧからなる各ｅＣＣＥ用に複数の拡張リソース要素グループ（ｅＲＥＧ）を収集するステップ、
（ｄ）第２のデマッピングルールに基づく複数のＲＥからなる各ｅＲＥＧ用に複数のリソース要素（ＲＥ）を収集するステップ、及び
（ｅ）収集されたＲＥにマップされたダウンリンク制御情報をデコードするステップを含み、１つのｅＲＥＧ用の複数のＲＥは、物理的に連続的な無線リソースのブロック内で、データ、または基準信号の送信に割り当てられた物理的に連続的なＲＥと、ｅＰＤＣＣＨ復調の基準信号に割り当てられたＲＥを除く、物理的に分散されたＲＥのうちの一つとするものである。
また、この発明の他の態様によれば、ＯＦＤＭ／ＯＦＤＭＡシステムのユーザー端末（ＵＥ）は、基地局から制御信号を受信し、ダウンリンク制御情報を搬送する受信された物理リソースブロック（ＰＲＢ）を決定する受信機、
ＰＲＢ内の候補の物理ダウンリンク制御チャネル（ｅＰＤＣＣＨ）セットを決定し、各ｅＰＤＣＣＨは、ｅＰＤＣＣＨ送信用に、拡張制御チャネル要素（ｅＣＣＥ）セットと関連付けられる制御モジュール、
第１のデマッピングルールに基づく複数のｅＲＥＧからなる各ｅＣＣＥ用に複数の拡張リソース要素グループ（ｅＲＥＧ）を収集し、且つ第２のデマッピングルールに基づく複数のＲＥからなる各ｅＲＥＧ用に複数のリソース要素（ＲＥ）を収集するコレクタモジュール、および
収集されたＲＥにマップされたダウンリンク制御情報をデコードするデコーダを含み、１つのｅＲＥＧ用の複数のＲＥは、物理的に連続的な無線リソースのブロック内で、データ、または基準信号の送信に割り当てられた物理的に連続的なＲＥと、ｅＰＤＣＣＨ復調の基準信号に割り当てられたＲＥを除く、物理的に分散されたＲＥのうちの一つとするものである。
拡張型物理ダウンリンク制御チャネル（ｅＰＤＣＣＨ）の物理構造は、１つのレベルまたは２つのレベルであることができる。物理構造の第１の方式では、物理構造の１つのレベルは、ｅＰＤＣＣＨ−拡張リソース要素グループ（ｅＲＥＧ）の単位の分散および局所送信の双方に定義され、リソース要素（ＲＥ）のグループが各ｅＲＥＧ用に予め定義されている。ｅＲＥＧを構成する局所方法では、ｅＲＥＧは、物理的に連続的なＲＥのグループであり、データ、または基準信号に割り当てられる。ＲＥのグループは、１つのＰＲＢまたはＰＲＢペアにスパンする。ｅＲＥＧを構成する分散方法では、ｅＲＥＧは、物理的に分散した不連続的なＲＥのグループであり、復調用の基準信号を除き、データ送信だけに割り当てられる。ＲＥのグループも同様に１つのＰＲＢまたはＰＥＢペアに広がる。ダウンリンク制御情報（ＤＣＩ）は、必要な変調およびコーディングレベルに応じて、分散方法または局所方法で直接、複数の集約されたｅＲＥＧに送信される。
【０００９】
物理構造の第２の方式（ｓｃｈｅｍｅ）では、物理構造の２つのレベルが、より良いダイバーシチのためにｅＰＤＣＣＨの分散および局所送信の双方に定義される。第１のレベルは、拡張リソース要素グループ（ｅＲＥＧ）の物理単位であり、ＲＥのグループは、各ｅＲＥＧに予め定義される。各ｅＲＥＧは、ＰＲＢまたはＰＲＢペア内に局所化または分散されることができる。第２のレベルは、拡張制御チャネル要素（ｅＣＣＥ）の論理単位であり、ｅＲＥＧのグループは、各ｅＣＣＥ用に予め定義されるか、または構成可能である。ｅＰＤＣＣＨの分散送信では、ｅＣＣＥは、全てのチャネル周波数に分布する複数の不連続のＰＲＢに分散された、いくつかのｅＲＥＧからなるため、周波数ダイバーシチゲインは、分散されたｅＣＣＥ構造を用いて最大限に引き出すことができる。ｅＰＤＣＣＨの局所送信では、ｅＣＣＥは、単一のＰＲＢに均一に分散されるいくつかのｅＲＥＧからなるため、チャネル推定においてより良いロバスト性のために、１つのＰＲＢ内の基準信号の均一な利用を促進する。ＤＣＩは、必要とされる変調およびコーディングレベルに応じて、複数の集約されたｅＣＣＥに送信される。
【００１０】
１つの新しい態様では、アンテナポートの利用は、ｅＣＣＥの論理的順序およびＤＣＩ送信用の集約レベルに基づく。ＵＥが単一のｅＣＣＥを利用してダウンリンク制御情報をブラインドデコーディングした場合、ｅＰＤＣＣＨ復調用のアンテナポートは、単一のｅＣＣＥの論理アドレスに基づく。一方では、ＵＥが複数のｅＣＣＥを用いてダウンリンク制御情報をブラインドデコーディングした場合、ｅＰＤＣＣＨ復調用のアンテナポートは、複数のｅＣＣＥ間の特定のｅＣＣＥの論理アドレスに基づく。
【００１１】
他の実施形態及び利点が以下に詳細に説明される。この概要は、本発明を限定するものではない。本発明は請求項によって限定される。
【図面の簡単な説明】
【００１２】
添付の図面は、本発明の実施形態を示しており、同様の番号は同様の要素を指している。
【図１】１つの新しい態様に応じた拡張型物理ダウンリンク制御チャネルを用いた移動通信ネットワークを示している。
【図２】本発明の実施形態に応じた基地局とユーザー端末の簡略ブロック図を示している。
【図３】局所拡張リソース要素グループ（ｅＲＥＧ）を有するｅＰＤＣＣＨの単一レベルの物理構造の例を示している。
【図４】分散拡張リソース要素グループ（ｅＲＥＧ）を有するｅＰＤＣＣＨの単一レベルの物理構造の例を示している。
【図５】ＵＥがダウンリンク制御情報の送信用のｅＲＥＧを決定する手順を示している。
【図６】ｅＲＥＧおよび分散拡張制御チャネル要素（ｅＣＣＥ）を用いたｅＰＤＣＣＨの２つのレベルの物理構造の第１の例を示している。
【図７】ｅＲＥＧおよび分散ｅＣＣＥを用いたｅＰＤＣＣＨの２つのレベルの物理構造の第２の例を示している。
【図８】ｅＲＥＧおよび局所ｅＣＣＥを用いたｅＰＤＣＣＨの２つのレベルの物理構造の第１の例を示している。
【図９】ｅＲＥＧおよび局所ｅＣＣＥを用いたｅＰＤＣＣＨの２つのレベルの物理構造の第２の例を示している。
【図１０】ＵＥがダウンリンク制御情報の送信用のｅＣＣＥの論理アドレスを決定する手順を示している。
【図１１】ｅＰＤＣＣＨの基準信号利用の１つの実施形態を示している。
【図１２】ｅＰＤＣＣＨの基準信号利用のもう１つの実施形態を示している。
【図１３】ｅＰＤＣＣＨの分散送信用のダウンリンク制御情報をデコーディングする方法のフローチャートである。
【発明を実施するための形態】
【００１３】
ここで、本発明の様々な実施形態が詳細に参照され、その実施例は添付図面に例証されている。
【００１４】
図１は、１つの新しい態様に応じた拡張型物理ダウンリンク制御チャネル（ｅＰＤＣＣＨ）を利用した移動通信ネットワーク１００を示している。移動通信ネットワーク１００は、基地局ｅＮｏｄｅＢ１０１と複数のユーザー端末ＵＥ１０２、ＵＥ１０３、およびＵＥ１０４を含むＯＦＤＭ／ＯＦＤＭＡシステムである。ｅＮｏｄｅＢからＵＥに送信されるダウンリンクパケットがある時、各ＵＥは、ダウンリンク割り当て、例えば、物理ダウンリンク制御チャネル（ＰＤＳＣＨ）の無線リソースセットを得る。ＵＥがアップリンクでパケットをｅＮｏｄｅＢに送信する必要がある時、ＵＥは、アップリンク無線リソースセットからなる物理アップリンク共有チャネル（ＰＵＳＣＨ）を割り当てるｅＮｏｄｅＢからグラント（承認）を得る。ＵＥは、特にそのＵＥに特化した物理ダウンリンク制御チャネル（ＰＤＣＣＨ）からダウンリンクまたはアップリンクスケジューリング情報を得る。また、ブロードキャスト制御情報もＰＤＣＣＨでセルの全てのＵＥに送信される。ＰＤＣＣＨによって搬送された、ダウンリンクまたはアップリンクスケジューリング情報とブロードキャスト制御情報は、ダウンリンク制御情報（ＤＣＩ）とも呼ばれる。
【００１５】
図１の例では、拡張型物理ダウンリンク制御チャネル（ｅＰＤＣＣＨ）１１０は、ｅＮｏｄｅＢ１０１に用いられ、ＤＣＩをＵＥに送信する。ＯＦＤＭＡダウンリンクに基づく３ＧＰＰ  ＬＴＥシステムでは、無線リソースは、サブフレームに分割され、各々２つのスロットからなり、各スロットは、時間領域に沿って７つのＯＦＤＭＡシンボルを有する。各ＯＦＤＭＡシンボルは、更にシステム帯域幅に応じて周波数領域に沿って複数のＯＦＤＭＡサブキャリアからなる。リソースグリッドの基本単位はリソース要素（Ｒｅｓｏｕｒｃｅ  Ｅｌｅｍｅｎｔ；ＲＥ）と呼ばれ、１つのＯＦＤＭＡサブキャリアと１つのＯＦＤＭＡシンボルとにまたがる。物理リソースブロック（ＰＲＢ）は、１つのスロットと１２個のサブキャリアを占有し、ＰＲＢペアは、２つの連続するスロットを占有する。１つの新しい態様では、ｅＰＤＣＣＨ１１０は、レガシーＰＤＳＣＨの領域で第１と第２のスロットの両スロットにまたがる。また、ｅＰＤＣＣＨ１１０は、単一のレベルまたは２つのレベルの物理構造のいずれかを有し、ダイバーシチまたはビームフォーミングゲインを引き出す。
【００１６】
図２は、本発明の実施形態に応じた基地局２０１とユーザー端末（ＵＥ）２１１の簡略ブロック図を示している。基地局２０１では、アンテナ２０７は、無線信号を送受信する。ＲＦトランシーバモジュール２０６は、アンテナと結合され、アンテナからＲＦ信号を受信し、それらをベースバンド信号に変換し、それらをプロセッサ２０３に送信する。ＲＦトランシーバ２０６もプロセッサから受信したベースバンド信号を変換し、それらをＲＦ信号に変換してアンテナ２０７に送信する。プロセッサ２０３は、受信したベースバンド信号を処理し、異なる機能モジュールを起動し、基地局２０１の特徴（ｆｅａｔｕｒｅｓ）を実行する。メモリ２０２は、プログラム命令およびデータ２０９を保存し、基地局の動作を制御する。
【００１７】
同様の設定（ｃｏｎｆｉｇｕｒａｔｉｏｎ）がＵＥ２１１に存在し、アンテナ２１７は、ＲＦ信号を送受信する。ＲＦトランシーバモジュール２１６は、アンテナに接続され、アンテナからＲＦ信号を受信し、それらをベースバンド信号に変換してそれらをプロセッサ２１３に送信する。ＲＦトランシーバ２１６もプロセッサから受信したベースバンド信号を変換し、それらをＲＦ信号に変換してアンテナ２１７に送出する。プロセッサ２１３は、受信したベースバンド信号を処理し、異なる機能モジュールを起動し、ＵＥ２１１の特徴を実行する。メモリ２１２は、プログラム命令およびデータ２１９を保存し、ＵＥの動作を制御する。
【００１８】
基地局２０１とＵＥ２１１も本発明のいくつかの実施形態を実行するために、いくつかの機能モジュールを含む。異なる機能モジュールは、ソフトウェア、ファームウェア、ハードウェア、またはその組み合せによって実行されることができる。例えば、機能モジュールがプロセッサ２０３と２１３によって実行された時（例えば、プログラムコード２０９と２１９を実行することによって）、基地局２０１にエンコードさせ、ダウンリンク制御情報をＵＥ２１１に送信し、それに応じてＵＥ２１１に受信させ、ダウンリンク制御情報をデコードする。一例では、基地局２０１は制御モジュール２０８を介してｅＰＤＣＣＨ送信用に無線リソースセットを設定し、マッピングモジュール２０５を介してダウンリンク制御情報を設定されたＲＥにマップする。次いで、ｅＰＤＣＣＨにて搬送されるダウンリンク制御情報は、アンテナ２０７を介してトランシーバ２０６で送信されるエンコーダ２０４を介して、変調されてエンコードされる。ＵＥ２１１は、アンテナ２１７を介してトランシーバ２１６によってダウンリンク制御情報を受信する。ＵＥ２１１は、制御モジュール２１８を介してｅＰＤＣＣＨ送信用の設定された無線リソースを決定し、コレクタ２１５を介して設定されたＲＥを収集する。次いでＵＥ２１１は、デコーダ２１４を介して収集したＲＥからダウンリンク情報を復調し、デコードする。
【００１９】
ｅＰＤＣＣＨの物理構造は、１つのレベルまたは２つのレベルであることができる。物理構造の第１の提案方式では、物理構造の１つのレベルは、ｅＰＤＣＣＨ−拡張リソース要素グループ（ｅＲＥＧ）の単位の分散および局所送信の双方に定義され、ＲＥのグループは各ｅＲＥＧ用に予め定義されている。ダウンリンク制御情報は、必要な変調およびコーディングレベルに応じて、分散方法または局所方法で直接、複数の集約された（ａｇｇｒｅｇａｔｅｄ）ｅＲＥＧに送信される。
【００２０】
図３は、局所拡張型リソース要素グループ（ｅＲＥＧ）を有するｅＰＤＣＣＨの単一のレベルの物理構造の例を示している。図３に示されるように、ｅＰＤＣＣＨは、１つのＰＲＢまたはＰＲＢペア内に割り当てられる。ｅＲＥＧを構成する２つの方法がある。局所方法では、ｅＲＥＧは、物理的に連続的な基準要素（ＲＥ）のグループであり、データ、または例えばセル固有基準信号（ＣＲＳ）、ＵＥ固有の基準信号（ＤＭ−ＲＳ）、およびチャネル状態情報の基準信号（ＣＳＩ−ＲＳ）などの基準信号に割り当てられる。ＲＥのグループは、１つのＰＲＢまたはＰＲＢペアにスパンする。１つのｅＲＥＧのデータに割り当てられるＲＥの数は、基準信号とレガシーＰＤＣＣＨのＲＥ予約により、異なる可能性がある（例えば、第１の３つのＯＦＤＭＡシンボルがレガシーＰＤＣＣＨ用に予約される）。図３の例＃１では、ｅＲＥＧ＃０は、ＰＲＢペアの第１のＰＲＢに連続的なＲＥを含み、ｅＲＥＧ＃１は、ＰＲＢペアの第２のＰＲＢに連続的なＲＥを含む。図３の例＃２では、ｅＲＥＧ＃０は、ＰＲＢペアにわたって連続的なＲＥを含み、ｅＲＥＧ＃１もＰＲＢペアにわたって連続的なＲＥを含む。
【００２１】
図４は、分散拡張リソース要素グループ（ｅＲＥＧ）を有するｅＰＤＣＣＨの単一のレベルの物理構造の例を示している。ｅＲＥＧを構成する分散方法では、ｅＲＥＧは、物理的に分散した不連続的なＲＥのグループであり、データ送信だけに割り当てられる。ＲＥのグループは、同様に１つのＰＲＢまたはＰＥＢペアに広がる。図４の例＃１では、ｅＲＥＧ＃０は、ＰＲＢペアの第１のＰＲＢに分散されたＲＥを含み、ｅＲＥＧ＃１はＰＲＢペアの第２のＰＲＢに分散されたＲＥを含む。図４の例＃２では、ｅＲＥＧ＃０は、ＰＲＢペアにわたって分散されたＲＥを含み、ｅＲＥＧ＃１もＰＲＢペアにわたって分散されたＲＥを含む。ＲＥマッピングへのｅＲＥＧは、システムで予め定義されている。各ｅＲＥＧは、論理アドレスと関連している。注意するのは、ｅＲＥＧに割り当てられた分散されたＲＥは、ｅＰＤＣＣＨ復調用に利用されるＵＥ固有の基準信号（ＤＭ−ＲＳ）などの基準信号に割り当てられたＲＥを含まないことである。しかしながら、予め定義された分散ｅＲＥＧ内には復調に用いられないいくつかの基準信号が存在する可能性もある。例えば、ＣＲＳ、ＣＳＩ−ＲＳ、ＰＲＳなどの基準信号である。これらの基準信号は、予め定義された分散ｅＲＥＧ内に存在または存在しない可能性があり、ＵＥは、それらが存在する場合、これらの基準信号の周辺でレートマッチングしなければならない。
【００２２】
図５は、ＵＥがダウンリンク制御情報の送信用のｅＲＥＧを決定する手順を示している。ステップ１では、ＵＥは、基地局からのシグナリングに基づき、ｅＰＤＣＣＨ送信に設定されたＰＲＢまたはＰＲＢペアを決定する。シグナリングは、動的シグナリング（レイヤ１シグナリング）、半静的シグナリング（ＲＲＣシグナリング）、システム情報、またはその組み合わせであることができる。ＵＥは、当該シグナリングをデコードし、ｅＰＤＣＣＨ送信に割り当てられるＰＲＢまたはＰＲＢペアを決定する。例えば、図５の３つのＰＲＢペアは、ｅＰＤＣＣＨ送信に割り当てられる。ステップ２では、ＵＥは、ＰＲＢをＶＲＢ（仮想リソースブロック）にマップし、ＵＥは、ＰＲＢのインデックスに基づく予め定義されたまたは設定されたマッピングルールに従い、ＶＲＢのインデックスを決定する。各ＰＲＢのインデックスのみが各ＶＲＢの新しいインデックスに再マップされ、各ＶＲＢの構成しているＲＥは、各対応するＰＲＢのそれらと同じままである。ステップ３では、ＵＥは、予め定義されたまたは設定された分割ルールに従って、各ＶＲＢを複数のｅＲＥＧに分割し、次いで各ｅＲＥＧの論理アドレスを決定する。ステップ４では、ＵＥは、物理ｅＲＥＧを順序付けされた物理アドレスで一連の論理ｅＲＥＧにマップする。ダウンリンク制御情報が基地局によって複数の論理ｅＲＥＧに送信されるため、ＵＥは論理ｅＲＥＧからダウンリンク制御情報をデコードすることができる。
【００２３】
物理構造の第２の提案方式では、物理構造の２つのレベルは、より良いダイバーシチのためにｅＰＤＣＣＨの分散および局所送信に定義される。第１のレベルは、拡張リソース要素グループ（ｅＲＥＧ）の物理単位であり、ＲＥのグループは、各ｅＲＥＧに予め定義される。ｅＲＥＧは、図３と４に示されるように、ＰＲＢまたはＰＲＢペア内に局所化または分散されることができる。第２のレベルは、拡張制御チャネル要素（ｅＣＣＥ）の論理単位であり、ｅＲＥＧのグループは、各ｅＣＣＥ用に上位層によって予め定義されるか、または構成可能である。ダウンリンク制御情報は、必要な変調およびコーディングレベルに応じて、複数の集約されたｅＣＣＥに送信される。
【００２４】
物理構造の第２の提案方式では、ｅＣＣＥは、いくつかのｅＲＥＧからなり、単一のＰＲＢまたは複数のＰＲＢであることができる。ｅＰＤＣＣＨの分散送信では、ｅＣＣＥは、全てのチャネル周波数に分布する複数の不連続のＰＲＢに分散された、いくつかのｅＲＥＧからなるため、周波数ダイバーシチゲインは、分散ｅＣＣＥ構造を用いて最大限に引き出されることができる。ｅＰＤＣＣＨの局所送信では、ｅＣＣＥは、単一のＰＲＢで均一に分散された、いくつかのｅＲＥＧからなるため、チャネル推定においてより良いロバスト性のために、１つのＰＲＢ内の基準信号の均一な利用を促進する。ｅＣＣＥのｅＲＥＧが１つのＰＲＢ内の局所領域にある場合、チャネル推定は、ｅＲＥＧ周辺の基準信号に大きく左右されるため、チャネル推定のパフォーマンスは、これらの基準信号が干渉された場合、大きく低下する。均一に分散されたｅＲＥＧでは、この影響は緩和されることができる。
【００２５】
図６は、ｅＲＥＧおよび分散ｅＣＣＥを用いたｅＰＤＣＣＨの２つのレベルの物理構造の第１の例を示している。図６に示されるように、１つ以上のｅＰＤＣＣＨは、所定のサブフレーム６００のいくつかの設定されたＰＲＢまたはＰＲＢペア（例えば３つのＰＲＢペア）内に割り当てられる。全ての３つの設定されたＰＲＢペア６０５は、次いでｅＰＤＣＣＨ送信用に集約される。分散ｅＰＤＣＣＨ送信では、１つのｅＣＣＥは、複数のＰＲＢまたはＰＲＢペアにわたって分散される、いくつかのｅＰＥＧからなる。例えば、ｅＣＣＥ６１０は、６つのｅＲＥＧ（例えば、第１のｅＲＥＧ〜第６のｅＲＥＧ）からなり、各ｅＲＥＧは、異なるＰＲＢに位置される。ｅＲＥＧマッピングへのｅＣＣＥは、システムで予め定義されており、複数のｅＣＣＥが定義されている。各ｅＣＣＥは、論理アドレスと関連している。次いでダウンリンク制御情報は、１つ以上のｅＣＣＥに連続的に送信される。
【００２６】
図７は、ｅＲＥＧおよび分散ｅＣＣＥを用いたｅＰＤＣＣＨの２つのレベルの物理構造の第２の例を示している。図７は、図６に非常に似ており、３つのＰＲＢペア７０５は、所定のサブフレーム７００に設定され、ｅＰＤＣＣＨ送信用に集約される。図７の例では、ｅＣＣＥ７１０は、３つの異なるＰＲＢペアに分散された、３つのｅＲＥＧ（例えば、第１のｅＲＥＧ、第２のｅＲＥＧ、第３のｅＲＥＧ）からなる。
【００２７】
図８は、ｅＲＥＧおよび局所ｅＣＣＥを用いたｅＰＤＣＣＨの２つのレベルの物理構造の第１の例を示している。図８に示されるように、１つ以上のｅＰＤＣＣＨは、所定のサブフレーム８００のいくつかの設定されたＰＲＢまたはＰＲＢペア（例えば３つのＰＲＢペア）内に割り当てられる。全ての３つの設定されたＰＲＢペア８０５は、次いでｅＰＤＣＣＨ送信用に集約される。局所ｅＰＤＣＣＨ送信では、１つのｅＣＣＥは、単一のＰＲＢ内に均一に分散される、いくつかのｅＰＥＧからなる。例えば、ｅＣＣＥ８１０は、６つの均一に分散したｅＲＥＧ（例えば、均一分散の第１のｅＲＥＧ〜第６のｅＲＥＧ）からなり、各ｅＲＥＧは、同じＰＲＢペアに位置される。ｅＲＥＧマッピングへのｅＣＣＥは、システムで予め定義されており、複数のｅＣＣＥが定義されている。各ｅＣＣＥは、論理アドレスと関連している。次いでダウンリンク制御情報は、１つ以上のｅＣＣＥに連続的に送信される。
【００２８】
図９は、ｅＲＥＧおよび局所ｅＣＣＥを用いたｅＰＤＣＣＨの２つのレベルの物理構造の第２の例を示している。図９は、図８に非常に似ており、３つのＰＲＢペア９０５は、所定のサブフレーム９００に設定され、ｅＰＤＣＣＨ送信用に集約される。図９の例では、ｅＣＣＥ９１０は、同じＰＲＢペアに位置された、３つの均一に分散したｅＲＥＧ（例えば、均一分散の第１〜第３のｅＲＥＧ）からなる。
【００２９】
図１０は、ＵＥがダウンリンク制御情報の送信用のｅＣＣＥの論理アドレスを決定する手順を示している。ステップ１では、ＵＥは、基地局からのシグナリングに基づき、ｅＰＤＣＣＨ送信に設定されたＰＲＢまたはＰＲＢペアを決定する。シグナリングは、動的シグナリング（レイヤ１シグナリング）、半静的シグナリング（ＲＲＣシグナリング）、システム情報、またはその組み合わせであることができる。ＵＥは、シグナリングをデコードし、ｅＰＤＣＣＨ送信に割り当てられたＰＲＢまたはＰＲＢペアを決定する。例えば、図１０の３つのＰＲＢペアは、ｅＰＤＣＣＨ送信に割り当てられる。ステップ２では、ＵＥは、ＰＲＢをＶＲＢ（仮想リソースブロック）にマップし、ＵＥは、ＰＲＢのインデックスに基づく予め定義されたまたは設定されたマッピングルールに従う。各ＰＲＢのインデックスのみが各ＶＲＢの新しいインデックスに再マップされ、各ＶＲＢの構成しているＲＥは、各対応するＰＲＢのそれらと同じままである。ステップ３では、ＵＥは、予め定義されたまたは設定された分割ルールに従って、各ＶＲＢを複数のｅＲＥＧに分割し、次いで各ｅＲＥＧの論理アドレスを決定する。ステップ４では、ＵＥは、もう１つの予め定義されたまたは設定された集約ルールに従って、複数のｅＲＥＧを単一のｅＣＣＥに集約する。例えば、ｅＣＣＥ１０１０は、３つのｅＲＥＧ（第１のｅＲＥＧ、第５のｅＲＥＧ、および第９のｅＲＥＧ）からなる。複数のｅＲＥＧは、単一のＶＲＢまたは複数のＶＲＢに分散される。次いで、ＵＥは、各ｅＣＣＥの論理アドレスを決定する。ダウンリンク制御情報が基地局によって１つ以上の論理ｅＣＣＥに送信されるため、ＵＥはｅＣＣＥの論理アドレスに基づき、ダウンリンク制御情報をデコードすることができる。
【００３０】
図１１は、ｅＰＤＣＣＨの基準信号利用の１つの実施形態を示している。ｅＰＤＣＣＨ送信では、割り当てられた無線リソース（ＰＲＢペア）は、異なるＵＥ間でシェアされる複数のｅＣＣＥを含む。よって、ｅＰＤＣＣＨの復調に用いられるアンテナポートは、異なるＵＥ用に異なって、ＭＩＭＯプリコーディングをサポートする必要がある。ＵＥ側では、アンテナポートの利用は、ｅＣＣＥの論理的順序および基地局からのダウンリンク制御情報の送信の集約レベルに基づく。ＵＥが単一のｅＣＣＥを利用してダウンリンク制御情報をブラインドデコーディングした場合、ｅＰＤＣＣＨ復調用のアンテナポートは、単一のｅＣＣＥの論理アドレスに基づく。一方では、ＵＥが複数のｅＣＣＥを利用してダウンリンク制御情報をブラインドデコーディングした場合、ｅＰＤＣＣＨ復調用のアンテナポートは、複数のｅＣＣＥ間の特定のｅＣＣＥの論理アドレスに基づく。言い換えれば、集約レベルが１の時、１つのｅＣＣＥは、その論理的順序に基づき、１つのアンテナポートと関連付けられる。例えば、前記の関連は、４による法（ｍｏｄｕｌｕｓ）を用いたｅＣＣＥの論理的順序に基づく。集約レベルが２以上の時、複数のｅＣＣＥは、特定のｅＣＣＤの論理的順序に基づき、１つのアンテナポートと関連し、上位層によって予め定義または設定されることができる。
【００３１】
図１１の例では、基地局は、ｅＰＤＣＣＨ変調とプリコーディング用に２つの送信アンテナ（Ｔｘアンテナ＃０およびＴｘアンテナ＃１）を用いる。ユーザー＃０では、２つのｅＣＣＥ（第１のｅＣＣＥおよび第２のｅＣＣＥ）が、ｅＰＤＣＣＨ送信用に集約される。次いで、ユーザー＃０は、アンテナポート＃７（第１のｅＣＣＥの論理アドレスに基づく）のＤＭ−ＲＳに対してダウンリンク制御情報をデコードする。ユーザー＃１では、単一のｅＣＣＥ（第３のｅＣＣＥ）が、ｅＰＤＣＣＨ送信用に用いられる。次いで、ユーザー＃１は、アンテナポート＃９（第３のｅＣＣＥの論理アドレスに基づく）のＤＭ−ＲＳに対してダウンリンク制御情報をデコードする。ユーザー＃２では、単一のｅＣＣＥ（第４のｅＣＣＥ）が、ｅＰＤＣＣＨ送信用に用いられる。ユーザー＃１では、単一のｅＣＣＥ（第４のｅＣＣＥ）が、ｅＰＤＣＣＨ送信用に用いられる。次いで、ユーザー＃２は、アンテナポート＃１０（第４のｅＣＣＥの論理アドレスに基づく）のＤＭ−ＲＳに対してダウンリンク制御情報をデコードする。
【００３２】
図１２は、ｅＰＤＣＣＨの基準信号利用のもう１つの実施形態を示している。図１２の例では、アンテナポートの利用は、特定のルールに対するＲＥまたはｅＲＥＧの物理的な位置に基づく。ダウンリンク制御情報（ＤＣＩ）のデコーディングに利用されるアンテナポートは、予め定義されたルールに対する、ＤＣＩが存在するＲＥまたはｅＲＥＧの物理的な位置または上位層の設定（例えば、ＲＲＣ設定）によって決定される。例えば、ＰＲＢペアのＲＥは、４つのパーティションに分割され、各々が分散または局所化され、ＵＥ固有の基準信号（ＤＭ−ＲＳ）のアンテナポートと関連付けられる。
【００３３】
図１３は、ｅＰＤＣＣＨの分散送信用のダウンリンク制御情報をデコーディングする方法のフローチャートである。ステップ１３０１では、ユーザー端末（ＵＥ）は、基地局から制御信号を受信し、ダウンリンク制御情報（ＤＣＩ）を搬送する、受信された物理リソースブロック（ＰＲＢ）またはＰＲＢペアを決定する。例えば、制御信号は、ＰＲＢまたはＰＲＢペアのインデックスを含む上位層シグナリング（例えば、ＲＲＣ層メッセージ）からである。ステップ１３０２では、ＵＥは、ＰＲＢ内の候補のｅＰＤＣＣＨセットを決定する。各候補のｅＰＤＣＣＨは、拡張制御チャネル要素（ｅＣＣＥ）セットと関連付けられる。コード化されたＤＣＩビット、即ち、ｅＰＤＣＣＨペイロードは、基地局によってｅＰＤＣＣＨフォーマットに従うｅＣＣＥセットにマップされる。これらのコード化されたビットは、巡回冗長検査（ＣＲＣ）が付加され、ｅＰＤＣＣＨの所有者または使い方に従ってＲＮＴＩでマスクされる。ｅＰＤＣＣＨが特定のＵＥ用である場合、ＣＲＣは、ＵＥ固有の識別子（例えば、Ｃ−ＲＮＴＩ）でマスクされる。ＵＥは、そのＣ−ＲＮＴＩを用いて候補のｅＰＤＣＣＨセットをモニターし、前記候補のデコードを試みる。ＣＲＣエラーが検出されない場合、ＵＥは、特定の候補のｅＰＤＣＣＨがそれ自身のダウンリンク制御情報を搬送することを決定する。
【００３４】
ステップ１３０３では、ＵＥは、各ｅＣＣＥ用に複数の拡張リソース要素グループ（ｅＲＥＧ）を収集する。各ｅＣＣＥは、第１のデマッピングルールに基づく複数のｅＲＥＧからなる。ｅＰＤＣＣＨの分散送信では、ｅＣＣＥは、全てのチャネル周波数に分布する複数の不連続のＰＲＢに分散された、いくつかのｅＲＥＧからなるため、周波数ダイバーシチゲインは、分散されたｅＣＣＥ構造を用いて最大限に引き出されることができる。ｅＰＤＣＣＨの局所送信では、ｅＣＣＥは、単一のＰＲＢに均一に分散された、いくつかのｅＲＥＧからなるため、チャネル推定においてより良いロバスト性のために、１つのＰＲＢ内の基準信号の均一な利用を促進する。
【００３５】
ステップ１３０４では、ＵＥは、各ｅＲＥＧ用に複数のリソース要素（ＲＥ）を収集する。各ｅＲＥＧは、第２のデマッピングルールに基づく複数のＲＥからなる。ｅＲＥＧを構成する局所方法では、ｅＲＥＧは、物理的に連続的な基準要素（ＲＥ）のグループであり、データ、または基準信号に割り当てられる。ＲＥのグループは、１つのＰＲＢまたはＰＲＢペアにスパンする。ｅＲＥＧを構成する分散方法では、ｅＲＥＧは、物理的に分散した不連続的なＲＥのグループであり、データ送信だけに割り当てられる。ＲＥのグループも１つのＰＲＢまたはＰＥＢペアに広がる。
【００３６】
ステップ１３０５では、ＵＥは、予め定義されたルールに基づく１つ以上の特定のアンテナポートのＤＭ−ＲＳで全てのＲＥ用のチャネル係数を推定する。例えば、ＵＥが単一のｅＣＣＥを利用してダウンリンク制御情報をブラインドデコーディングした場合、ｅＰＤＣＣＨ復調用のアンテナポートは、単一のｅＣＣＥの論理アドレスに基づく。一方では、ＵＥが複数のｅＣＣＥを利用してダウンリンク制御情報をブラインドデコーディングした場合、ｅＰＤＣＣＨ復調用のアンテナポートは、複数のｅＣＣＥ間の特定のｅＣＣＥの論理アドレスに基づく。ステップ１３０６では、ＵＥは、収集されたＲＥにマップされたダウンリンク制御情報をデコードする。ｅＰＤＣＣＨ送信に用いられるｅＣＣＥの数は、単一のｅＣＣＥまたは複数のｅＣＣＥであることができる。最後に、ステップ１３０７では、ＵＥは、各候補のｅＰＤＣＣＨ用のデコーディング処理をリピートする。
【００３７】
本発明は、説明のためにある特定の実施の形態に関連して述べられているが本発明はこれを制限するものではない。よって、種々の変更、改造、及び上述の実施の形態の種々の特徴の組み合わせがこの請求項に記載したような本発明の範囲を逸脱せずに、行い得る。
【符号の説明】
【００３８】
１００  移動通信ネットワーク
１０１  基地局ｅＮｏｄｅＢ
ＵＥ１０２、ＵＥ１０３、およびＵＥ１０４  ユーザー端末
２０１  基地局
２０２  メモリ
２０３  プロセッサ
２０４  エンコーダ
２０５  マッピング
２０６  ＲＦトランシーバモジュール
２０７  アンテナ
２０８  制御モジュール
２０９  プログラム命令およびデータ
２１１  ユーザ端末
２１２  メモリ
２１３  プロセッサ
２１４  デコーダ
２１５  コレクタ
２１６  ＲＦトランシーバモジュール
２１７  アンテナ
２１８  制御モジュール
２１９  プログラムコード
６００  サブフレーム
６０５  ＰＲＢペア
６１０  ｅＣＣＥ
７００  サブフレーム
７０５  ＰＲＢペア
７１０  ｅＣＣＥ
８００  サブフレーム
８０５  ＰＲＢペア
８１０  ｅＣＣＥ
９００  サブフレーム
９０５  ＰＲＢペア
９１０  ｅＣＣＥ
１０１０  ｅＣＣＥ。
【図１】
0005889446.tif 000002
【図２】
0005889446.tif 000003
【図３】
0005889446.tif 000004
【図４】
0005889446.tif 000005
【図５】
0005889446.tif 000006
【図６】
0005889446.tif 000007
【図７】
0005889446.tif 000008
【図８】
0005889446.tif 000009
【図９】
0005889446.tif 000010
【図１０】
0005889446.tif 000011
【図１１】
0005889446.tif 000012
【図１２】
0005889446.tif 000013
【図１３】
0005889446.tif 000014